(57)【特許請求の範囲】
【請求項１】
水平配置させる正方形枠の四辺を構成する４本のフレームと、これらフレームに四辺を止着して正方形枠内に張設されるネットとを備え、該正方形枠の一方の対角線方向に対峙する両コーナー部において隣り合うフレーム相互が水平軸線周りに回動可能に枢着連結されると共に、正方形枠の他方の対角線方向に対峙する両コーナー部において隣り合うフレーム相互が垂直軸線周りに回動可能に枢着連結されてなる陰干し器。
【請求項２】
正方形枠の各コーナー部近傍に、下方へ突出する脚片が設けられてなる請求項１記載の陰干し器。
【請求項３】
正方形枠の各コーナー部近傍の上面側に、脚片嵌合用凹所が設けられてなる請求項２記載の陰干し器。
【請求項４】
脚片が下方突出姿勢と正方形枠のフレームに沿う折り畳み姿勢とに変換可能に取付けられてなる請求項２又は３に記載の陰干し器。
【請求項５】
正方形枠の各コーナー部近傍に、吊り下げフックの４本の吊り条をそれぞれ係止させる係止部が設けられてなる請求項１〜４のいずれかに記載の陰干し器。
【発明の詳細な説明】
【０００１】
【産業上の利用分野】
この発明は、洗濯後の羊毛セーター等の衣類を陰干しするのに使用する折り畳み式の陰干し器に関する。
【０００２】
【従来技術とその課題】
この種の陰干し器は、正方形枠に四辺を固定して水平状に張設されたネット上に洗濯後の衣類を載せ、該正方形枠の各コーナー部に設けた脚片を介して地上に置くか、或いは吊り下げフックの４本の吊り条を各コーナー部に係止して物干し竿等に吊り下げて使用するようになっている。そして、従来にあっては、使用形態の正方形枠が大きく非常に嵩張ることから、正方形枠の四辺を構成するフレームと、これらの端部同士を連結する脚片付きコーナー部材と、ネットとを分離した部品形態でカートンに収容して出荷され、これら部品を消費者側で組み立てて使用するのが一般的であった。しかるに、この組み立てには非常に手間がかかる上、不使用時に保管する際、組立形態のままでは大きなスペースとるために分解することになるが、その分解操作も容易ではなく、極めて不便であった。
【０００３】
そこで、上記の改良型として、正方形枠を構成する４本のフレームの２本づつが対として予め端部相互で枢着連結されると共に、これらフレームにネットの四辺が止着され、使用に際して２対のフレームの端部同士を凹凸嵌合により連結して正方形枠を組み立てるようにしたものが提案されている（実開平１−７２８８９号公報）。しかしながら、このような改良型の陰干し器においても、上記のように、２対のフレームの端部同士を使用時に連結し、保管・収納時には該連結部を取り外す操作が必要であり、やはり手間がかかるという難点があった。
【０００４】
この発明は、上述の事情に鑑みて、コンパクトに折り畳んで保管・収納でき、しかも折り畳み状態から単にフレームを拡げるだけのワンタッチ操作により、極めて簡単に使用形態に変換でき、フレームの連結等の組立操作が不要であり、取扱い性に優れて非常に便利な陰干し器を提供することを目的としている。
【０００５】
【課題を解決するための手段】
上記目的を達成するために、本発明の請求項１に係る陰干し器は、水平配置させる正方形枠の四辺を構成する４本のフレームと、これらフレームに四辺を止着して正方形枠内に張設されるネットとを備え、該正方形枠の一方の対角線方向に対峙する両コーナー部において隣り合うフレーム相互が水平軸線周りに回動可能に枢着連結されると共に、正方形枠の他方の対角線方向に対峙する両コーナー部において隣り合うフレーム相互が垂直軸線周りに回動可能に枢着連結されてなる構成を採用したものである。
【０００６】
請求項２の発明は、上記請求項１の陰干し器における正方形枠の各コーナー部近傍に、下方へ突出する脚片が設けられてなる構成を採用したものである。
【０００７】
請求項３の発明は、上記請求項２の陰干し器における正方形枠の各コーナー部近傍の上面側に、脚片嵌合用凹所が設けられてなる構成を採用したものである。
請求項４の発明は、上記請求項２又は３の陰干し器における脚片が下方突出姿勢と正方形枠のフレームに沿う折り畳み姿勢とに変換可能に取付けられてなる構成を採用したものである。
【０００８】
請求項５の発明は、上記請求項１〜４のいずれかの陰干し器における正方形枠の各コーナー部近傍に、吊り下げフックの４本の吊り条をそれぞれ係止させる係止部が設けられてなる構成を採用したものである。
【０００９】
【作用】
請求項１の陰干し器では、正方形枠の四辺を構成する４本のフレームの端部同士が、該正方形枠の一方の対角線方向に対峙する両コーナー部で水平軸線周りに回動可能に枢着連結され、他方の対角線方向に対峙する両コーナー部で垂直軸線周りに回動可能に枢着連結されているから、正方形枠を上記一方の対角線方向に対峙する両コーナー部において９０度折り付けることにより、フレームの２本ずつが重なって直角二等辺三角形の二等辺をなす形となり、次いで重なった他方の両コーナー部を９０度折り付けることにより、４本のフレーム全部が平行に重なり合ったコンパクトな折り畳み形態となり、正方形枠に張設されたネットも四つ折り三角形に畳まれる。
【００１０】
請求項２の構成では、脚片により正方形枠及びネットを設置面から浮かせた状態で水平に保持できる。
【００１１】
請求項３の構成では、複数個の陰干し器を使用する際、上位の陰干し器の各脚片の下端を下位の陰干し器の脚片嵌合用凹所に嵌合させることにより、安定した状態で上下複数段の棚状に積み重ねることができる。
【００１２】
請求項４の構成では、脚片をフレームに沿うように折り畳むことができるから、前記のように陰干し器全体を折り畳んで保管・収納する場合に脚片による嵩高化が回避される。
【００１３】
請求項５の構成では、吊り下げフックの４本の吊り条をそれぞれ正方形枠の各コーナー部近傍に設けた係止部に係止させることにより、該吊り下げフックを利用して陰干し器を物干し竿その他に吊り懸けることができる。
【００１４】
【実施例】
図１〜図８はこの発明の陰干し器の一実施例を示す。この陰干し器は、同じ長さの４本のフレーム（１）…が端部同士で枢着連結した正方形枠（１０）に、ネット（２）がその４辺をそれぞれフレーム（１）に止着して張設されている。
【００１５】
正方形枠（１０）は、一方の対角線方向に対峙する両コーナー部が垂直開閉型ヒンジ部材（３）にて構成されると共に、他方の対角線方向に対峙する両コーナー部が水平開閉型ヒンジ部材（４）にて構成されている。そして、各フレーム（１）は、一端側が筒状部（５ａ）をなす棒軸材（５）と、この筒状部（５ａ）に一端側を嵌入固着した棒軸材（６）と、両棒軸材（５）（６）の他端側を嵌入固着させた前記ヒンジ部材（３）（４）の筒状回動片（３ａ）又は（３ｂ）と（４ａ）又は（４ｂ）とで形成されている。なお、ネット（２）は正方形の角部を切除した形状であって、その４辺の各側縁部（２ａ）が連結した両棒軸材（５）（６）を包み込むように筒状に縫製されている。また、ヒンジ部材（３）（４）及び棒軸材（５）（６）は、いずれも硬質合成樹脂成形物よりなる。
【００１６】
垂直開閉型ヒンジ部材（３）は、図４に示すように、外形略角柱状の一対の筒状回動片（３ａ）（３ｂ）が水平ピン（７）を介して垂直面内相対回動可能に枢着連結されており、開姿勢では両回動片（３ａ）（３ｂ）が枢着連結部の下側に形成したストッパー部（３１）（３１）を突き合わせて平面視９０度の開き角度で水平配置すると共に、閉姿勢では両回動片（３ａ）（３ｂ）が開姿勢における上面同士で重合する。一方、水平開閉型ヒンジ部材（４）は、図６に示すように、外形略角柱状の一対の筒状回動片（４ａ）（４ｂ）が垂直ピン（８）を介して水平面内相対回動可能に枢着連結されており、開姿勢では両回動片（４ａ）（４ｂ）が平面視９０度の開き角度で水平配置すると共に、閉姿勢では両回動片（４ａ）（４ｂ）が開姿勢における内側面同士で重合する。
【００１７】
また両ヒンジ部材（３）（４）は、一方の筒状回動片（３ａ）（４ａ）の外側面に半円弧状の係止部（９）が一体形成され、他方の筒状回動片（３ｂ）（４ｂ）の下面側にはコ字枠部（１１）が一体に突設され、このコ字枠部（１１）に水平枢支ピン（１２）を介して帯板状の脚片（１３）が枢着され、当該回動片（３ｂ）（４ｂ）の上面には脚片（１３）の枢着部の真上に位置して長手方向に沿う長孔（１４ａ）が開設されると共に、図５に示すように、当該回動片（３ｂ）（４ｂ）内に嵌入した棒軸材（５）の端部上面に上記長孔（１４ａ）に臨む凹部（１４ｂ）が形成され、該長孔（１４ａ）と凹部（１４ｂ）とで脚片嵌合用凹所（１４）を構成している。なお、棒軸材（５）（６）のヒンジ部材（３）（４）との連結側端部には、組立製作時に筒状回動片（３ａ）（３ｂ）（４ａ）（４ｂ）への挿入を容易にするための割り溝（１５）が設けてある（図５参照）。
【００１８】
各脚片（１３）は、両側縁の補強用リブ（１３ａ）（１３ａ）により横断面Ｈ形に形成されており、図３の実線で示す下方突出姿勢と、同図の仮想線で示すようにフレーム（１）に沿う水平な折り畳み姿勢とに変換可能である。しかして、コ字枠部（１１）は、脚片（１３）が下方突出姿勢より折り畳み方向とは逆方向へ回動するのを阻止するストッパーとして機能している。
【００１９】
上記構成の陰干し器では、脚片（１３）…を下方突出姿勢として地面や床面等に設置することにより、正方形枠（１０）が水平状態に保持され、ネット（２）上に載せた羊毛セーター（Ｓ）等の衣類を設置面から浮かせた状態で陰干しできると共に、この上に図３の仮想線で示すように同様構成の陰干し器を、上位の陰干し器の各脚片（１３）の下端が下位の陰干し器の脚片嵌合用凹所（１４）に嵌合する形で順次積み重ねることにより、安定した上下複数段の棚状に構成することが可能である。また、図１に示すように、吊り下げフック（１６）の４本の吊り条（１７）…をそれぞれ正方形枠（１０）の各係止部（９）に係止させることにより、該吊り下げフック（１６）を利用して物干し竿その他に吊り懸ける形でも使用できる。
【００２０】
一方、使用後の陰干し器は、脚片（１３）…を折り畳み姿勢とした上で、まず図７に示すように正方形枠（１０）を垂直開閉型ヒンジ部材（３）（３）が閉じるように９０度折り付けることにより、フレーム（１）の２本ずつが重なる直角二等辺三角形の半折り状態とし、次いで図８に示すように重なった水平開閉型ヒンジ部材（４）（４）が閉じるように９０度折り付けることにより、４本のフレーム（１）…全部が平行に重なり合ったコンパクトな折り畳み形態となり、正方形枠（１０）に張設されたネット（２）も四つ折り三角形に畳まれるから、このネット（２）を平行に重なったフレーム（１）…に巻き付けて陰干し器全体を短い棒状形態とすることができる。従って、この陰干し器は不使用時の保管・収納に当たって場所をとらず、製品出荷においても短い筒状のカートンや袋に収納できて嵩張らず、しかも折り畳み形態から使用形態に変換するにはフレーム（１）…を二段階に拡げるだけでよく、フレームの連結やねじ止めその他の組立操作が全く不要である。
【００２１】
上記実施例では、正方形枠（１０）のコーナー部に独立したヒンジ部材（３）（４）を用いているが、各フレーム（１）を一体の硬質合成樹脂成形物にて形成可能であり、また棒軸材（５）（６）に代えてパイプ材を用いてもよい。その他、本発明においては、ヒンジ部材（３）（４）の細部構造、係止部（９）や脚片（１３）の形状、吊り下げフック（１６）の形状等、細部構成については実施例以外に種々設計変更可能である。
【００２２】
【発明の効果】
請求項１の発明によれば、洗濯後の羊毛セーター等の衣類を陰干しする陰干し器として、衣類を載せるためのネットを張設した正方形枠をその四辺を構成する４本のフレーム全部が平行に重なり合った極めてコンパクトな折り畳み形態として保管・収納でき、しかも折り畳み状態から単にフレームを拡げるだけの極めて簡単な操作で使用形態に変換でき、フレームの連結等の組立操作が不要であり、取扱い性に優れて非常に便利なものが提供される。
【００２３】
請求項２の発明によれば、上記の陰干し器として、脚片により正方形枠及びネットを設置面から浮かせた状態で水平に保持できるから、該ネット上に載せた衣類が設置面に触れて汚れる恐れがない上、ネット下の空間により風通しがよく乾燥能率の高いものが提供される。
【００２４】
請求項３の発明によれば、上記の脚片を備えた陰干し器として、その複数個を安定した状態で上下複数段の棚状に積み重ねて用いることが可能であり、複数着の衣類を場所を取らずに同時に陰干しできるものが提供される。
【００２５】
請求項４の発明によれば、上記の脚片を備えた陰干し器として、該脚片をフレームに沿うように折り畳み可能であり、保管・収納時に該脚片が邪魔にならず、陰干し器全体の折り畳み形態をよりコンパクト化できるものが提供される。
【００２６】
請求項５の発明によれば、上記の陰干し器として、吊り下げフックの４本の吊り条をそれぞれ正方形枠の各コーナー部近傍に設けた係止部に係止させることにより、該吊り下げフックを利用して物干し竿その他に吊り懸けて使用できるものが提供される。
【図面の簡単な説明】
【図１】この発明の一実施例に係る陰干し器の斜視図である。
【図２】同陰干し器の一部破断平面図である。
【図３】同陰干し器の一部破断正面図である。
【図４】同陰干し器の垂直開閉型ヒンジ部材を用いたコーナー部の斜視図である。
【図５】図４のＶ−Ｖ線の断面矢視図である。
【図６】同陰干し器の水平開閉型ヒンジ部材を用いたコーナー部の斜視図である。
【図７】同陰干し器の折り畳みの第一段階を示す斜視図である。
【図８】同陰干し器の折り畳みの第二段階を示す斜視図である。
【符号の説明】
１…フレーム
２…ネット
３…垂直開閉型ヒンジ部材（水平軸線周りに回動可能な枢着連結部）
４…水平開閉型ヒンジ部材（垂直軸線周りに回動可能な枢着連結部）
７…水平ピン（水平軸線）
８…垂直ピン（垂直軸線）
９…係止部
１０…正方形枠
１３…脚片
１４…脚片嵌合用凹所
１６…吊り下げフック
１７…吊り条
【図１】
0003549269.tif 000002
【図２】
0003549269.tif 000003
【図３】
0003549269.tif 000004
【図４】
0003549269.tif 000005
【図５】
0003549269.tif 000006
【図６】
0003549269.tif 000007
【図７】
0003549269.tif 000008
【図８】
0003549269.tif 000009